(57)【要約】【課題】  組み立て構造物、例えば、焼酎を貯蔵する焼酎貯蔵用の液体タンクに簡単に設置することができる梯子を提供する。【解決手段】  支持部材２２を焼酎タンク６の上縁に支持し、踏み台部２５を備えた梯子本体部２４が構造物の外側に位置するように設置し、ローラ２３を介して支持部材２２を焼酎タンク６の上縁に沿って移動させることで、梯子本体部２４を焼酎タンク６に沿って移動させ、複数の作業員が複数個所で一斉に作業することができるようにし、隣接構造物との隙間が不十分な時には、踏み台部２５を梯子本体部２４側に折りたたんで通過させる。【選択図】  図６
2011144564.tif 000002
【特許請求の範囲】
【請求項１】
構造物の上部の基準縁部を転動するローラを備えた支持部材と、
前記支持部材に設けられ前記構造物の下側に垂下して延びる梯子本体部と、
前記梯子本体部の長手方向の複数個所に備えられ前記梯子本体部側に折りたたみ自在にされる踏み台部とを備えた
ことを特徴とする梯子。
【請求項２】
請求項１に記載の梯子において、
前記踏み台部は、前記梯子本体の長手方向に交差する方向に突出する板台が備えられると共に、前記梯子本体に沿って平行に延びる手すり部が前記板台の突出方向外側に備えられ、
前記板台が反突出状態にされる際に前記手すり部を前記梯子本体側に平行移動させることで折りたたみ動作をさせるリンクを備えた
ことを特徴とする梯子。
【請求項３】
請求項１もしくは請求項２に記載の梯子において、
前記構造物は筒状のタンクであり、前記ローラが転動する前記基準縁部は前記タンクの上部の円周縁であり、
前記ローラは湾曲凹状の転動面が前記円周縁を転動する滑車部材である
ことを特徴とする梯子。
【請求項４】
請求項３に記載の梯子において、
前記筒状のタンクは帯状円環部材が積み上げられることで形成され、
前記梯子本体は長手方向に分割された複数の分割本体部が互いに接続され、前記帯状円環部材の積み上げ高さに応じて分割本体部の数が設定されて互いに接続される
ことを特徴とする梯子。
【請求項５】
請求項４に記載の梯子において、
前記支持部材には前記ローラに対応して移動用スプロケットが設けられ、
前記移動用スプロケットには回転用の索体が巻回され、前記索体は前記梯子本体に沿って垂下して配され、
前記移動用スプロケットの回転軸と前記ローラの回転軸の間に動力伝達機構を介在させた
ことを特徴とする梯子。
【請求項６】
請求項５に記載の梯子において、
動力伝達機構は、前記移動用スプロケットの回転軸と前記ローラの回転軸にそれぞれ取り付けられるスプロケットと、前記スプロケットに掛け回されるチェーンとからなる
ことを特徴とする梯子。
【請求項７】
請求項５もしくは請求項６に記載の梯子において、
前記ローラ及び前記移動用スプロケットが支持される支持枠が前記支持部材に備えられ、前記支持枠は、前記ローラ及び前記移動用スプロケットの回転中心軸に直交する軸周りで回動自在に前記支持部材に支持され、
前記ローラに対応して湾曲凹状の転動面を有するガイドローラを有し、前記ガイドローラが支持されるガイド支持枠が前記支持部材に備えられ、前記ガイド支持枠は、前記ガイドローラの回転中心軸に直交する軸周りで回動自在に前記支持部材に支持され、
前記支持枠及び前記ガイド支持枠を回動させることにより、前記ローラ及び前記ガイドローラの転動面を前記タンクの上部の円周縁の円弧に沿わせる
ことを特徴とする梯子。
【請求項８】
請求項３から請求項７のいずれか一項に記載の梯子において、
前記筒状のタンクは、焼酎が貯蔵される焼酎タンクである
ことを特徴とする梯子。
【発明の詳細な説明】
【技術分野】
【０００１】
本発明は、組み立て構造物、例えば、焼酎を貯蔵する焼酎貯蔵用の液体タンクに設置される梯子に関し、組み立て構造物の組み立て時や、メンテナンス時に用いて好適である。
【背景技術】
【０００２】
焼酎は、米、麦、芋、そば等の素材を原料として製造される蒸留酒である。例えば、芋を原料とした焼酎は、一次仕込みとして米麹に水と酵母を加えて熟成させることにより、米のデンプン質を糖化させると共に、酵母によりこの糖分をアルコール発酵させる、所謂、並行複発酵により一次もろみを造る。次に、二次仕込みとして、原料となる破砕した蒸し芋と仕込み水を一次もろみに加え、芋のデンプン質を発酵させて二次もろみを造る。その後、二次もろみを蒸留し、所定期間貯蔵タンク（液体タンク）に貯蔵して成熟させることで焼酎が造られる。
【０００３】
焼酎や焼酎廃液を貯蔵する貯蔵タンクは、例えば、湾曲した帯状鋼板をつないで円環状の鋼板筒を基礎枠の上に取り付け、湾曲した帯状鋼板をつなぎながら円環状の鋼板筒を複数段積み上げ、最上部の開口に天井部材を取り付けて組立てられている。帯状鋼板同士の継ぎ目及び円環状の鋼板筒同士の継ぎ目は、鋼板同士を面一に保持する治具を用いて筒の内側が仮溶接され、仮接合された筒の外側の継ぎ目が溶接される。
【０００４】
貯蔵タンクの継ぎ目を溶接する場合、内側の仮溶接は下から順に作業を行うため、筒の内側に簡易足場を設置しながら作業を進めている。筒の外側の溶接は、数メートルの筒が構築された状態であるため、足場を筒の周囲に構築し、溶接機器を伴って作業員が足場を移動しながら作業を進めている。
【０００５】
このため、貯蔵タンクを組み立てる場合には、筒の周囲に足場を組立てることが不可欠であり、貯蔵タンクを組み立てるための技術とは別の専門の技術を必要としていた。
【０００６】
一方、焼酎は、検量タンクで所定量の検量を行い、原酒を原酒タンクに貯蔵し、原酒に対して和水（水を所定の割合で混合）を実施して所定の度数の焼酎として製品タンクに貯蔵している。また、年代の異なる原酒をブレンドして所定の品質の焼酎を得てブレンドタンクに貯蔵し、ブレンドした焼酎に対して和水を行って所定の度数のブレンド焼酎を製品タンクに貯蔵し、ボトリングして製品としている。従って、焼酎を生産するためには、検量タンク、原酒タンク、ブレンドタンク、和水タンク、製品タンク等の多くの種類の焼酎タンクを必要としている。
【０００７】
焼酎貯蔵用の貯蔵タンクは、限られた敷地内に多く設置されることになり、貯蔵タンク同士の間隔を充分に確保できない状態となっている。このため、既設の貯蔵タンク隣接部位等の足場の構築には既存の貯蔵タンクとの関係で制約を受けることが多く、足場を使用して筒の外側の溶接を行う際に、労力と時間を費やしているのが現状である。
【０００８】
足場を構築することなく筒状のタンクの周囲のメンテナンスを行うため、ウインドガーダを支点として旋回する作業床が従来から提案されている（例えば、特許文献１参照）。特許文献１に記載された技術は、ウインドガーダを支点として旋回駆動する旋回足場と、スライドユニットを介して旋回足場の下側に備えられる吊り足場とを備えている。タンクの周囲のメンテナンスを行う場合、旋回足場を旋回駆動させ、筒面の配管等がある箇所では吊り足場を外側にスライド退避させ、タンクの高さ方向の全域を一度にメンテナンスできるようにしている。
【０００９】
しかし、従来の技術は、ウインドガーダを備えた全高が数十メートルの既設の大型タンクに対して適用できる技術であり、貯蔵タンクの組み立ての過程で適用することはできない。また、旋回足場を旋回駆動させる機構や、吊り足場をスライドさせる機構を備えているため、大掛かりな設備となり、貯蔵タンクのメンテナンスに適用することはできない。
【先行技術文献】
【特許文献】
【００１０】
【特許文献１】特開２００１−３５６１号公報
【発明の概要】
【発明が解決しようとする課題】
【００１１】
本発明は上記状況に鑑みてなされたもので、組み立て構造物、例えば、焼酎を貯蔵する焼酎貯蔵用の液体タンクに簡単に設置することができる梯子を提供することを目的とする。
【課題を解決するための手段】
【００１２】
上記目的を達成するための請求項１に係る本発明の梯子は、構造物の上部の基準縁部を転動するローラを備えた支持部材と、前記支持部材に設けられ前記構造物の下側に垂下して延びる梯子本体部と、前記梯子本体部の長手方向の複数個所に備えられ前記梯子本体部側に折りたたみ自在にされる踏み台部とを備えたことを特徴とする。
【００１３】
請求項１に係る本発明では、支持部材のローラを基準縁部に支持し、踏み台部を備えた梯子本体部が構造物の外側に位置するように設置する。ローラを介して支持部材を基準縁部に沿って移動させ、踏み台部を備えた梯子本体部を構造物の外側を移動させる。踏み台部に作業員が乗ることで複数の作業員が複数個所で一斉に作業することができる。隣接構造物との隙間が不十分な時には、踏み台部を梯子本体部側に折りたたんで通過させる。従って、組立て構造物、例えば、焼酎を貯蔵する焼酎貯蔵用の液体タンクに簡単に設置することが可能になる。
【００１４】
そして、請求項２に係る本発明の梯子は、請求項１に記載の梯子において、前記踏み台部は、前記梯子本体の長手方向に交差する方向に突出する板台が備えられると共に、前記梯子本体に沿って平行に延びる手すり部が前記板台の突出方向外側に備えられ、前記板台が反突出状態にされる際に前記手すり部を前記梯子本体側に平行移動させることで折りたたみ動作をさせるリンクを備えたことを特徴とする。
【００１５】
請求項２に係る本発明では、板台を反突出状態にしてリンクを介して手すり部を梯子本体側に平行移動することで、踏み台部を折りたたむことができる。
【００１６】
また、請求項３に係る本発明の梯子は、請求項１もしくは請求項２に記載の梯子において、前記構造物は筒状のタンクであり、前記ローラが転動する前記基準縁部は前記タンクの上部の円周縁であり、前記ローラは湾曲凹状の転動面が前記円周縁を転動する滑車部材であることを特徴とする。
【００１７】
請求項３に係る本発明では、筒状タンクの上部の円周縁に滑車部材の転動面を乗せ、滑車部材を転動させることにより筒状タンクの周囲に沿って支持部材を移動させる。滑車部材は、湾曲凹状の転動面を備えているので、筒状タンクの板厚（円周縁の幅）の大小や円周縁の形状に拘わらず滑車部材を上部の円周縁に乗せることができる。つまり、筒状タンクを組み立てる経過で上部の円周縁がいかなる形状になっていても、滑車部材を上部の円周縁に乗せて梯子を設置することができる。
【００１８】
また、請求項４に係る本発明の梯子は、請求項３に記載の梯子において、前記筒状のタンクは帯状円環部材が積み上げられることで形成され、前記梯子本体は長手方向に分割された複数の分割本体部が互いに接続され、前記帯状円環部材の積み上げ高さに応じて分割本体部の数が設定されて互いに接続されることを特徴とする。
【００１９】
請求項４に係る本発明では、帯状円環部材の積み上げ高さに応じて分割本体部の数を設定して接続することで、組み立てる過程で途中の高さの時に必要な作業を実施することができる。
【００２０】
また、請求項５に係る本発明の梯子は、請求項４に記載の梯子において、前記支持部材には前記ローラに対応して移動用スプロケットが設けられ、前記移動用スプロケットには回転用の索体が巻回され、前記索体は前記梯子本体に沿って垂下して配され、前記移動用スプロケットの回転軸と前記ローラの回転軸の間に動力伝達機構を介在させたことを特徴とする。
【００２１】
請求項５に係る本発明では、梯子本体に沿って垂下して配された索体を踏み台部に乗った作業員が操作することで、移動用スプロケットを回転させて動力伝達機構を介してローラを回転させ、支持部材を移動させることができる。
【００２２】
また、請求項６に係る本発明の梯子は、請求項５に記載の梯子において、動力伝達機構は、前記移動用スプロケットの回転軸と前記ローラの回転軸にそれぞれ取り付けられるスプロケットと、前記スプロケットに掛け回されるチェーンとからなることを特徴とする。
【００２３】
請求項６に係る本発明では、動力伝達機構をスプロケット及びチェーンで構成したことにより、スプロケットの径の設定により動力の伝達比率を変更することができ、操作性を任意に設定することができる。
【００２４】
また、請求項７に係る本発明の梯子は、請求項５もしくは請求項６に記載の梯子において、前記ローラ及び前記移動用スプロケットが支持される支持枠が前記支持部材に備えられ、前記支持枠は、前記ローラ及び前記移動用スプロケットの回転中心軸に直交する軸周りで回動自在に前記支持部材に支持され、前記ローラに対応して湾曲凹状の転動面を有するガイドローラを有し、前記ガイドローラが支持されるガイド支持枠が前記支持部材に備えられ、前記ガイド支持枠は、前記ガイドローラの回転中心軸に直交する軸周りで回動自在に前記支持部材に支持され、前記支持枠及び前記ガイド支持枠を回動させることにより、前記ローラ及び前記ガイドローラの転動面を前記タンクの上部の円周縁の円弧に沿わせることを特徴とする。
【００２５】
請求項７に係る本発明では、支持枠の回動位置を調整すると共にガイド支持枠の回動位置を調整することで、ローラ及びガイドローラの転動面をタンクの上部の円周縁の円弧に沿わせることができ、タンクの径に拘わらず梯子を掛けることができる。
【００２６】
また、請求項８に係る本発明の梯子は、請求項３から７のいずれか１項に記載の梯子において、前記筒状のタンクは、焼酎が貯蔵される焼酎タンクであることを特徴とする。
【００２７】
請求項８に係る本発明では、焼酎タンクの組み立てやメンテナンスに梯子を用いることができる。
【発明の効果】
【００２８】
本発明の梯子は、組み立て構造物、例えば、焼酎を貯蔵する焼酎貯蔵用の液体タンクに簡単に設置することが可能になる。
【図面の簡単な説明】
【００２９】
【図１】本発明の一実施例に係る梯子を用いて組み立てを実施する焼酎タンクの組み立て状況説明図である。
【図２】組み立てられた焼酎タンクの外観図である。
【図３】治具により上下の帯状鋼板同士を面一に保持した状態の図である。
【図４】梯子を掛けて溶接を実施する状況の説明図である。
【図５】梯子を掛けて溶接を実施する状況の説明図である。
【図６】梯子の正面図である。
【図７】梯子の側面図である。
【図８】梯子の外観図である。
【図９】梯子の要部外観図である。
【図１０】踏み台部の部分外観図である。
【図１１】支持部材の詳細図である。
【図１２】支持部材の詳細図である。
【図１３】支持部材の詳細図である。
【図１４】上縁に転動する状況の説明図である。
【図１５】上縁に転動する状況の説明図である。
【発明を実施するための形態】
【００３０】
本実施例は、構造物として焼酎を貯蔵する貯蔵タンク（焼酎タンク）の組み立てに使用される梯子を例に挙げて説明してある。本発明の梯子を適用する構造物としては、焼酎タンクに限らず、水やジュース等の飲料水を貯蔵する液体タンク、家畜の飼料を貯蔵する飼料タンク、化学品を貯留する化学プラントの液体タンク、その他の燃料タンク等を挙げることができる。また、構造物としては、液体タンクに限らず、発電所やプラント施設の構造物、倉庫や工場の建屋等の構造物を挙げることができる。また、本発明の梯子は、組み立てに使用する以外に、既存の構造物に対する塗装や修復等のメンテナンス、断熱材や外装材の施工時に使用することができる。
【００３１】
本実施例の梯子を使用する構造物として、焼酎タンクを例に挙げて説明する。
【００３２】
本発明の梯子を説明するに先立って、図１、図２に基づいて焼酎タンクの組み立て状況を説明する。図１には本発明の一実施例に係る梯子を用いて組み立てを実施する焼酎タンクの組み立て状況、図２には組み立てられた焼酎タンクの外観を示してある。
【００３３】
図１、図２に示すように、基礎１の上面には底板２が設けられ、底板２の周囲に湾曲した帯状鋼板３をつないで円環状の鋼板筒４としている。湾曲した帯状鋼板３をつなぎながら鋼板筒４を複数段積み上げて円筒体７が組み立てられ、円筒体７の最上部に天井筒５がつなぎ合わされて焼酎タンク６が組み立てられる。帯状鋼板３及び円環状の鋼板筒４同士の継ぎ目は、鋼板同士を面一に保持する治具を用いて筒の内側が仮溶接される。
【００３４】
図３に基づいて鋼板同士を面一に保持する治具を説明する。図３には治具により上下の帯状鋼板３同士を面一に保持した状態を示してあり、図３（ａ）は鋼板を仮想状態に表した外観、図３（ｂ）は断面状態である。
【００３５】
図に示すように、治具１１は帯状鋼板３の接合縁の間に挟持される本体板１２を有し、本体板１２には挿入孔１３が設けられている。また、本体板１２の挿入孔１３の一端部の板面の表裏それぞれには係止棒１４が垂直に設けられ、挿入孔１３が帯状鋼板３の接合縁同士に挟まれた際に係止棒１４がそれぞれの帯状鋼板３の面に当接する。帯状鋼板３の板面を挟んで係止棒１４の反対側の挿入孔１３には楔片１５が嵌入され、楔片１５が嵌入することで帯状鋼板３同士が面一に保持される。
【００３６】
治具１１により帯状鋼板３同士が面一に保持された状態で、内側から継ぎ目が仮溶接される。仮溶接された後は、楔片１５が挿入孔１３から抜かれて係止棒１４側に本体板１２が帯状鋼板３の接合縁同士の間から抜き外される。鋼板筒４が積み上げられて高所作業になる場合、円環状の鋼板筒４の内側に簡易足場が取り付けられる。
【００３７】
鋼板筒４が所定の段数積み上げられる過程での筒体、及び、組み立てられた円筒体７に対して本実施例の梯子２１（図４参照）が掛けられ、筒体の外周面、もしくは、円筒体７の外周面の帯状鋼板３同士の継ぎ目、及び、鋼板筒４同士の継ぎ目が溶接される。
【００３８】
図４、図５に基づいて梯子を掛けて溶接を実施する状況を説明する。
【００３９】
図４には３段の鋼板筒４が積み上げられた状態、図５には円筒体７に梯子２１を掛けた状態を示してある。
【００４０】
図４に示すように、梯子２１の上部には支持部材２２が備えられ、支持部材２２には基準縁部としての最上段の鋼板筒４の上縁を転動するローラ２３が備えられている。支持部材２２には梯子本体部２４が設けられ、梯子本体部２４は積み上げられた鋼板筒４の外周面の下側に吊下して延びている。梯子本体部２４の３箇所には踏み台部２５が備えられ、各踏み台部２５には作業員が乗って溶接作業を行う。
【００４１】
踏み台部２５には梯子本体部２４の長手方向に交差する方向に突出する板台２６が備えられ、板台２６の外側には梯子本体部２４に沿って平行に延びる手すり部２７が備えられている。手すり部２７はリンク２８を介して梯子本体部２４に接続され、板台２６が反突出状態にされる際にリンク２８により手すり部２７が梯子本体部２４側に平行移動する。これにより、踏み台部２５が梯子本体部２４側に折りたたみ自在とされる。
【００４２】
３段の鋼板筒４が積み上げられた筒体に梯子２１の支持部材２２を掛け、各踏み台部２５に作業員が乗ってローラ２３を最上段の鋼板筒４の上縁に沿って転動させる。作業員が乗ったままの梯子２１を筒体の周囲に移動させ、筒体の外周面の帯状鋼板３同士の継ぎ目、及び、鋼板筒４同士の継ぎ目が溶接される。
【００４３】
既設の焼酎タンク６が備えられている箇所で梯子２１を移動させる場合、一旦、作業員が踏み台部２５から降り、板台２６を反突出状態にしてリンク２８により手すり部２７を梯子本体部２４側に平行移動させ、踏み台部２５を折りたたんだ状態にする。これにより、狭い場所に対して梯子２１を通過させることができる。
【００４４】
図５に示すように、円筒体７の状態で帯状鋼板３同士の継ぎ目、及び、鋼板筒４同士の継ぎ目を一斉に溶接する場合、梯子本体部２４（分割本体部）の下側に分割本体部３１を接続する。分割本体部３１には２箇所に踏み台部２５が備えられ、梯子本体部２４と分割本体部３１を互いに接続することで（分割本体部を互いに接続することで）、上下に５箇所の踏み台部２５を備えた梯子２１となる。
【００４５】
５箇所の踏み台部２５に作業員が乗り、ローラ２３を最上段の鋼板筒４の上縁に沿って転動させることで、円筒体７の帯状鋼板３同士の継ぎ目、及び、鋼板筒４同士の継ぎ目が一斉に溶接される。既設の焼酎タンク６が備えられている箇所で梯子２１を移動させる場合、全ての踏み台部２５を折りたたんだ状態にする。
【００４６】
図６から図１２に基づいて本発明の一実施例に係る梯子２１を詳細に説明する。
【００４７】
図６には焼酎タンク６に本発明の一実施例に係る梯子２１が設置された状態における梯子２１の正面状態、図７には梯子２１の側面状態、図８（ａ）には梯子２１の外観を表す正面状態、図８（ｂ）には梯子の外観を表す側面状態、図９（ａ）には梯子２１の要部外観状態、図９（ｂ）には踏み台部２５が折りたたまれた状態の梯子２１の要部外観状態、図１０（ａ）には踏み台部２５の部分の外観、図１０（ｂ）には折りたたまれた踏み台部２５の部分の外観を示してある。また、図１１、図１２、図１３には支持部材の詳細を示してあり、図１１（ａ）は正面視状態、図１１（ｂ）は側面視状態、図１１（ｃ）は平面視状態、図１２、図１３は斜視状態である。
【００４８】
図６〜図８に示すように、焼酎タンク６の最上部の端部縁には梯子２１の支持部材２２がローラ２３を介して取り付けられ、支持部材２２には梯子本体部２４（分割本体部３１）が焼酎タンク６の下側に垂下して配されている。梯子本体部２４（分割本体部３１）は一対のフレーム材で構成され、梯子本体部２４の長手方向の５箇所の外方（焼酎タンク６の筒面の反対側）には、踏み台部２５が設けられている。踏み台部２５は、梯子本体部２４（分割本体部３１）の一対のフレーム材の対向部（内側）に支持されている。
【００４９】
また、梯子本体部２４（分割本体部３１）の一対のフレーム材のそれぞれには、足掛け用の棒材６１が設けられ、棒材６１は、焼酎タンク６の筒面に直交するように縦方向に延びるフレーム同士に亘って互いに平行に多数設けられている。棒材６１は、例えば、３００ｍｍピッチで上下方向に多数設けられている。作業員は、足掛け用の棒材６１を使用して所定の踏み台部２５に対して昇降する。
【００５０】
踏み台部２５に作業員が乗り、支持部材２２のローラ２３を介して梯子２１を焼酎タンク６の最上部の端部縁に沿って移動させることにより、５人の作業員が焼酎タンク６の帯状鋼板３同士の継ぎ目、及び、鋼板筒４同士の継ぎ目を一斉に溶接することができる。
【００５１】
図９に示すように、踏み台部２５は、板台２６及び手すり部２７がリンク２８を介して平行移動自在に備えられ、折りたたみ自在となっている。図１０に基づいて踏み台部２５を詳細に説明する。
【００５２】
図１０に示すように、板台２６は矩形枠３３に取り付けられ、矩形枠３３の下側の縁辺は梯子本体部２４の（分割本体部３１）の一対のフレーム材の対向部（内側）に、幅方向に延びる中心軸周りに回動自在に支持されている。矩形枠３３は梯子本体部２４に対して垂直になる状態に回動位置が規制される。矩形枠３３の上側（外側）には手すり部２７の基端部（下側）が回動自在に支持され、手すり部２７の先端部（上側）はリンク２８の先端が回動自在に支持されている。更に、リンク２８の基端部が梯子本体部２４の一対のフレーム材の対向部（内側）に回動自在に支持されている。
【００５３】
これにより、図１０（ａ）に示すように、梯子本体部２４の長手方向に交差する方向に矩形枠３３（板台２６）が起立した状態で、手すり部２７が板台２６を囲むように踏み台部２５が設置される。また、図１０（ｂ）に示すように、リンク２８を介して手すり部２７と共に矩形枠３３を上側に回動させることにより、手すり部２７が平行移動して踏み台部２５が梯子本体部２４の一対のフレーム材の対向部の内側に折りたたまれた状態にされる。このため、踏み台部２５が梯子本体部２４（分割本体部３１）から突出しない状態で内側に納められ、梯子を狭い箇所で移動させる際に有利となる。
【００５４】
図１０に示すように、矩形枠３３の周囲には板台２６に対して直立する幅木３４が設けられ、幅木３４により板台２６の面部の周縁に矩形状の板材が配された状態になっている。また、手すり部２７の側部の途中部には第２リンク３５が設けられ、第２リンク３５に連続して中間バー３６が設けられている。第２リンク３５の基端部は、矩形枠３３及びリンク２８と同様に、梯子本体部２４の一対のフレーム材の対向部（内側）に回動自在に支持されている。
【００５５】
尚、図１０（ｂ）に示すように、踏み台部２５が梯子本体部２４側に折りたたまれる際に、幅木３４を外すことで折りたたみを容易に実施することができる。
【００５６】
踏み台部２５は、矩形枠３３の板台２６の上側の空間が手すり部２７で囲まれ、板台２６の面部の周縁に立板状の縁部が幅木３４で形成され、更に、第２リンク３５及び中間バー３６により手すり部２７の空間に支え用のバーが配された状態になっている。このため、作業員が踏み台部２５で高所作業を行う場合であっても、幅木３４により板台２６からの作業具の落下が防止され、また、手すり部２７や支え用の中間バー３６により作業員自体の落下が防止される。
【００５７】
尚、矩形枠３３に対して１枚の板台２６を設けた例を挙げて説明したが、板台を分割し、分割された板台をスライド自在に矩形枠３３に備えることも可能である。板台をスライド自在に備えることで、踏み台部２５を折りたたまない状態で手すり部２７の内側から作業員が上部の踏み台部２５に移動することができる。
【００５８】
図１１から図１３に基づいて支持部材２２を説明する。
【００５９】
支持部材２２は、焼酎タンク６（図６参照）の最上段の上縁に沿って移動する案内部位とされている。支持部材２２にはＬ字型の枠材４１が備えられ、枠材４１は焼酎タンク６（図６参照）の上縁に被さる状態に形成され、枠材４１に梯子本体部２４が接続されている。枠材４１の内側には焼酎タンク６（図６参照）の最上段の上縁を転動するローラ２３及びガイドローラ４３が備えられている。
【００６０】
ローラ２３及びガイドローラ４３は、焼酎タンク６（図６参照）の径に応じた円弧に沿うように、上下方向に延びる軸周り（回転中心軸に直交する軸周り）で独立して回動自在になっている（図１１（ｃ）参照）。このため、種々の径のタンクに対して適用することができる。
【００６１】
即ち、枠材４１の内側には支持枠４４及びガイド支持枠４５が上下方向に延びる軸周りで回動自在に支持されている。支持枠４４及びガイド支持枠４５の回動位置は任意に調整され、ロックナット４４ａ、４５ａにより回動位置が固定される。支持枠４４にはローラ２３が回転自在に支持され、ガイド支持枠４５にはガイドローラ４３が回転自在に支持されている。支持枠４４のローラ２３は、踏み台部２５に乗った作業員により回転操作され（詳細は後述する）、作業員が乗った状態で梯子２１を焼酎タンク６（図６参照）の筒面に沿って移動させることができる。
【００６２】
支持枠４４にはローラ２３に対応して移動用スプロケット４６が回転自在に支持され、移動用スプロケット４６には回転用の索体としての操作チェーン４７が巻回され、操作チェーン４７は梯子本体部２４に沿って垂下して配されている。移動用スプロケット４６とローラ２３の間には動力伝達機構が介在し、踏み台部２５に乗った作業員が操作チェーン４７を操作して移動用スプロケット４６を回動させることにより、ローラ２３が回動される。
【００６３】
動力伝達機構として、移動用スプロケット４６の回転軸にはスプロケット４６ａが設けられ、ローラ２３の回転軸にはスプロケット２３ａが設けられ、スプロケット４６ａ、２３ａには動力伝達チェーン（チェーン）４８が掛け回されている。つまり、移動用スプロケット４６が回動すると、スプロケット４６ａ、チェーン４８を介してスプロケット２３ａに回転動力が伝達され、ローラ２３が回転する。操作チェーン４７を操作してローラ２３を回転させることで、作業員が乗った状態で梯子２１が焼酎タンク６（図６参照）の筒面に沿って移動する。
【００６４】
動力伝達機構をスプロケット４６ａ、２３ａ及びチェーン４８で構成したことにより、スプロケット４６ａ、２３ａの径の設定により動力の伝達比率を変更することができ、操作チェーン４７の操作性を任意に設定することができる。
【００６５】
焼酎タンク６（図６参照）の最上段の上縁を転動するローラ２３は湾曲凹状の転動面５１を有し、ガイドローラ４３はローラ２３に対応して湾曲凹状の転動面５２を有している。ローラ２３及びガイドローラ４３は湾曲凹状の転動面５１、５２を有しているので、厚さ（幅）が異なる複数の上縁に対して、一つのローラ２３及びガイドローラ４３を適用することができる。
【００６６】
図１４、図１５に基づいて複数種類の上縁に転動する状況を説明する。図１４には焼酎タンク６の最上段の上縁（天井筒５）の概念状況、図１５には異なる上縁を転動している状態の概念を示してある。
【００６７】
焼酎タンク６の最上段の帯状鋼板３の上縁の外側には円環状のトップアングル５５が接合され、トップアングル５５に天井板５６の縁部が取り付けられている。トップアングル５５には円周方向に多数の支持棒５７が立設され、支持棒５７の上端にはレール環５８が取り付けられている。天井部の周囲にレール環５８が設けられることにより、天井部で作業する作業員の落下が防止される。
【００６８】
梯子２１の支持部材２２が掛けられる焼酎タンク６の最上段として、帯状鋼板３の上縁、トップアングル５５、レール環５８が適用される。
【００６９】
図１５（ａ）に示した状態は、トップアングル５５が接合される前の帯状鋼板３の上縁に梯子２１のローラ２３（ガイドローラ４３）が転動している状態である。ローラ２３（ガイドローラ４３）の転動面５１（５２）は、帯状鋼板３の厚さが数ｍｍ（例えば、３、４ｍｍ）の幅の部分（中心部）に接触している。
【００７０】
図１５（ｂ）に示した状態は、支持棒５７及びレール環５８が取り付けられる前のトップアングル５５の板部に梯子２１のローラ２３（ガイドローラ４３）が転動している状態である。ローラ２３（ガイドローラ４３）の転動面５１（５２）は、帯状鋼板３の厚さが数ｍｍの幅の部分とトップアングル５５の板部とを跨ぐ数十ｍｍ幅（例えば、８０ｍｍ程度の幅）の部分（外側部）に接触している。
【００７１】
図１５（ｃ）に示した状態は、レール環５８に梯子２１のローラ２３（ガイドローラ４３）が転動している状態である。ローラ２３（ガイドローラ４３）の転動面５１（５２）は、レール環５８の十数ｍｍの径の部分（中央部）に接触している。
【００７２】
湾曲凹状の転動面５１、５２を有するローラ２３及びガイドローラ４３を用いたので、幅の異なる複数の縁部に対してローラ２３及びガイドローラ４３を転動させることができる。このため、製造中の焼酎タンク６に対して多数の箇所で一つの梯子２１を適用することができる。
【００７３】
上述した梯子２１は、支持部材２２のローラ２３及びガイドローラ４３を帯状鋼板３の上縁やトップアングル５５、レール環５８で転動自在に支持し、焼酎タンク６の外側に踏み台部２５が位置するように梯子本体部２４を焼酎タンク６の外側に設置する。踏み台部２５に作業員が乗り、操作チェーン４７を操作することによりローラ２３及びガイドローラ４３を焼酎タンク６の上縁に沿って転動し、梯子２１が焼酎タンク６の筒面に沿って移動する。
【００７４】
これにより、踏み台部２５に乗った複数の作業員が複数個所で一斉に作業（溶接作業）をすることができる。ローラ２３、ガイドローラ４３は湾曲凹状の転動面５１、５２を有しているので、焼酎タンク６の板厚（円周縁の幅）の大小や円周縁の形状に拘わらずローラ２３及びガイドローラ４３を上部の円周縁に乗せることができ、焼酎タンク６を組み立てる経過で上部の円周縁がいかなる形状になっていても、ローラ２３及びガイドローラ４３を上部の円周縁に乗せて梯子２１を設置することができる。
【００７５】
また、踏み台部２５がリンク機構を介して平行移動することにより折りたたみ自在に梯子本体部２４に設けられているので、他の焼酎タンクが隣接する狭い箇所であっても、踏み台部２５を折りたたむことで梯子２１を通過させることができる。このため、隣接する焼酎タンクとの隙間が不十分な場所が存在する焼酎タンク６であっても簡単に梯子２１を設置することができる。
【００７６】
従って、限られた敷地内に多く設置される焼酎貯蔵用の貯蔵タンクを組み立てる最に、固定の足場を構築することなく作業者の作業場所を梯子２１で簡単に確保することができ、足場を構築する労力と時間をなくすことが可能になる。また、狭い場所で適用できることに加え、焼酎タンク６の上部の円周縁にローラ２３及びガイドローラ４３を乗せることができるので、限られた敷地内に多く設置される既存の焼酎タンク６の塗装等のメンテナンスに対して簡単に適用することができる。
【産業上の利用可能性】
【００７７】
本発明は、組み立て構造物、例えば、焼酎を貯蔵する焼酎貯蔵用の液体タンクに設置される梯子の産業分野で利用することができる。
【符号の説明】
【００７８】
１  基礎
２  底板
３  帯状鋼板
４  鋼板筒
５  天井筒
６  焼酎タンク
７  円筒体
１１  治具
１２  本体板
１３  挿入孔
１４  係止棒
１５  楔片
２１  梯子
２２  支持部材
２３  ローラ
２４  梯子本体部
２５  踏み台部
２６  板台
２７  手すり部
２８  リンク
３１  分割本体部
３３  矩形枠
３４  幅木
３５  第２リンク
４１  枠材
４３  ガイドローラ
４４  支持枠
４５  ガイド支持枠
４６  移動用スプロケット
４７  操作チェーン
４８  動力伝達チェーン
５１、５２  転動面
５５  トップアングル
５６  天井板
５７  支持棒
５８  レール環
６１  棒材
【図１】
2011144564.tif 000003
【図２】
2011144564.tif 000004
【図３】
2011144564.tif 000005
【図４】
2011144564.tif 000006
【図５】
2011144564.tif 000007
【図６】
2011144564.tif 000008
【図７】
2011144564.tif 000009
【図８】
2011144564.tif 000010
【図９】
2011144564.tif 000011
【図１０】
2011144564.tif 000012
【図１１】
2011144564.tif 000013
【図１２】
2011144564.tif 000014
【図１３】
2011144564.tif 000015
【図１４】
2011144564.tif 000016
【図１５】
2011144564.tif 000017
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
焼酎貯蔵用の筒状の焼酎タンクの上部の円周縁を転動するローラを備えた支持部材と、
前記支持部材に設けられ前記筒状の焼酎タンクの下側に垂下して延びる梯子本体部と、
前記梯子本体部の長手方向の複数個所に備えられ前記梯子本体部側に折りたたみ自在にされる踏み台部とを備え、
前記ローラは、湾曲凹状の転動面が前記円周縁を転動する滑車部材であり、
前記踏み台部は、前記梯子本体の長手方向に交差する方向に突出する板台が備えられると共に、前記梯子本体に沿って平行に延びる手すり部が前記板台の突出方向外側に備えられ、
前記板台が反突出状態にされる際に前記手すり部を前記梯子本体側に平行移動させることで折りたたみ動作をさせるリンクを備えた
ことを特徴とする焼酎タンク用の梯子。
【請求項２】
請求項１に記載の焼酎タンク用の梯子において、
前記筒状の焼酎タンクは帯状円環部材が積み上げられることで形成され、
前記梯子本体は長手方向に分割された複数の分割本体部が互いに接続され、前記帯状円環部材の積み上げ高さに応じて分割本体部の数が設定されて互いに接続される
ことを特徴とする焼酎タンク用の梯子。
【請求項３】
請求項２に記載の焼酎タンク用の梯子において、
前記支持部材には前記ローラに対応して移動用スプロケットが設けられ、
前記移動用スプロケットには回転用の索体が巻回され、前記索体は前記梯子本体に沿って垂下して配され、
前記移動用スプロケットの回転軸と前記ローラの回転軸の間に動力伝達機構を介在させた
ことを特徴とする焼酎タンク用の梯子。
【請求項４】
請求項３に記載の焼酎タンク用の梯子において、
前記動力伝達機構は、前記移動用スプロケットの回転軸と前記ローラの回転軸にそれぞれ取り付けられるスプロケットと、前記スプロケットに掛け回されるチェーンとからなる
ことを特徴とする焼酎タンク用の梯子。
【請求項５】
請求項４に記載の焼酎タンク用の梯子において、
前記ローラ及び前記移動用スプロケットが支持される支持枠が前記支持部材に備えられ、前記支持枠は、前記ローラ及び前記移動用スプロケットの回転中心軸に直交する軸周りで回動自在に前記支持部材に支持され、
前記ローラに対応して湾曲凹状の転動面を有するガイドローラを有し、前記ガイドローラが支持されるガイド支持枠が前記支持部材に備えられ、前記ガイド支持枠は、前記ガイドローラの回転中心軸に直交する軸周りで回動自在に前記支持部材に支持され、
前記支持枠及び前記ガイド支持枠を回動させることにより、前記ローラ及び前記ガイドローラの転動面を前記焼酎タンクの上部の円周縁の円弧に沿わせる
ことを特徴とする焼酎タンク用の梯子。
【手続補正２】
【補正対象書類名】明細書
【補正対象項目名】全文
【補正方法】変更
【補正の内容】
【発明の詳細な説明】
【技術分野】
【０００１】
本発明は、焼酎を貯蔵する焼酎貯蔵用の筒状の焼酎タンクに設置される焼酎タンク用の梯子に関し、焼酎タンクの組み立て時や、メンテナンス時に用いて好適である。
【背景技術】
【０００２】
焼酎は、米、麦、芋、そば等の素材を原料として製造される蒸留酒である。例えば、芋を原料とした焼酎は、一次仕込みとして米麹に水と酵母を加えて熟成させることにより、米のデンプン質を糖化させると共に、酵母によりこの糖分をアルコール発酵させる、所謂、並行複発酵により一次もろみを造る。次に、二次仕込みとして、原料となる破砕した蒸し芋と仕込み水を一次もろみに加え、芋のデンプン質を発酵させて二次もろみを造る。その後、二次もろみを蒸留し、所定期間貯蔵タンク（液体タンク：焼酎タンク）に貯蔵して成熟させることで焼酎が造られる。
【０００３】
焼酎や焼酎廃液を貯蔵する貯蔵タンクは、例えば、湾曲した帯状鋼板をつないで円環状の鋼板筒を基礎枠の上に取り付け、湾曲した帯状鋼板をつなぎながら円環状の鋼板筒を複数段積み上げ、最上部の開口に天井部材を取り付けて組立てられている。帯状鋼板同士の継ぎ目及び円環状の鋼板筒同士の継ぎ目は、鋼板同士を面一に保持する治具を用いて筒の内側が仮溶接され、仮接合された筒の外側の継ぎ目が溶接される。
【０００４】
貯蔵タンクの継ぎ目を溶接する場合、内側の仮溶接は下から順に作業を行うため、筒の内側に簡易足場を設置しながら作業を進めている。筒の外側の溶接は、数メートルの筒が構築された状態であるため、足場を筒の周囲に構築し、溶接機器を伴って作業員が足場を移動しながら作業を進めている。
【０００５】
このため、貯蔵タンクを組み立てる場合には、筒の周囲に足場を組立てることが不可欠であり、貯蔵タンクを組み立てるための技術とは別の専門の技術を必要としていた。
【０００６】
一方、焼酎は、検量タンクで所定量の検量を行い、原酒を原酒タンクに貯蔵し、原酒に対して和水（水を所定の割合で混合）を実施して所定の度数の焼酎として製品タンクに貯蔵している。また、年代の異なる原酒をブレンドして所定の品質の焼酎を得てブレンドタンクに貯蔵し、ブレンドした焼酎に対して和水を行って所定の度数のブレンド焼酎を製品タンクに貯蔵し、ボトリングして製品としている。従って、焼酎を生産するためには、検量タンク、原酒タンク、ブレンドタンク、和水タンク、製品タンク等の多くの種類の焼酎タンクを必要としている。
【０００７】
焼酎貯蔵用の貯蔵タンクは、限られた敷地内に多く設置されることになり、貯蔵タンク同士の間隔を充分に確保できない状態となっている。このため、既設の貯蔵タンク隣接部位等の足場の構築には既存の貯蔵タンクとの関係で制約を受けることが多く、足場を使用して筒の外側の溶接を行う際に、労力と時間を費やしているのが現状である。
【０００８】
足場を構築することなく筒状のタンクの周囲のメンテナンスを行うため、ウインドガーダを支点として旋回する作業床が従来から提案されている（例えば、特許文献１参照）。特許文献１に記載された技術は、ウインドガーダを支点として旋回駆動する旋回足場と、スライドユニットを介して旋回足場の下側に備えられる吊り足場とを備えている。タンクの周囲のメンテナンスを行う場合、旋回足場を旋回駆動させ、筒面の配管等がある箇所では吊り足場を外側にスライド退避させ、タンクの高さ方向の全域を一度にメンテナンスできるようにしている。
【０００９】
しかし、従来の技術は、ウインドガーダを備えた全高が数十メートルの既設の大型タンクに対して適用できる技術であり、貯蔵タンクの組み立ての過程で適用することはできない。また、旋回足場を旋回駆動させる機構や、吊り足場をスライドさせる機構を備えているため、大掛かりな設備となり、貯蔵タンクのメンテナンスに適用することはできない。
【先行技術文献】
【特許文献】
【００１０】
【特許文献１】特開２００１−３５６１号公報
【発明の概要】
【発明が解決しようとする課題】
【００１１】
本発明は上記状況に鑑みてなされたもので、焼酎を貯蔵する焼酎貯蔵用の筒状の焼酎タンクに簡単に設置することができる焼酎タンク用の梯子を提供することを目的とする。
【課題を解決するための手段】
【００１２】
上記目的を達成するための請求項１に係る本発明の焼酎タンク用の梯子は、焼酎貯蔵用の筒状の焼酎タンクの上部の円周縁を転動するローラを備えた支持部材と、前記支持部材に設けられ前記筒状の焼酎タンクの下側に垂下して延びる梯子本体部と、前記梯子本体部の長手方向の複数個所に備えられ前記梯子本体部側に折りたたみ自在にされる踏み台部とを備え、前記ローラは、湾曲凹状の転動面が前記円周縁を転動する滑車部材であり、前記踏み台部は、前記梯子本体の長手方向に交差する方向に突出する板台が備えられると共に、前記梯子本体に沿って平行に延びる手すり部が前記板台の突出方向外側に備えられ、前記板台が反突出状態にされる際に前記手すり部を前記梯子本体側に平行移動させることで折りたたみ動作をさせるリンクを備えたことを特徴とする。
【００１３】
請求項１に係る本発明では、支持部材のローラを筒状の焼酎タンクの上部の円周縁に支持し、踏み台部を備えた梯子本体部が筒状の焼酎タンクの外側に位置するように設置する。ローラを介して支持部材を円周縁に沿って移動させ、踏み台部を備えた梯子本体部を筒状の焼酎タンクの外側を移動させる。踏み台部に作業員が乗ることで複数の作業員が複数個所で一斉に作業することができる。隣接する焼酎タンクとの隙間が不十分な時には、踏み台部を梯子本体部側に折りたたんで通過させる。従って、焼酎を貯蔵する焼酎貯蔵用の焼酎タンクに簡単に設置することが可能になる。
【００１４】
また、板台を反突出状態にしてリンクを介して手すり部を梯子本体側に平行移動することで、踏み台部を折りたたむことができる。また、筒状の焼酎タンクの上部の円周縁に滑車部材の転動面を乗せ、滑車部材を転動させることにより筒状の焼酎タンクの周囲に沿って支持部材を移動させる。滑車部材は、湾曲凹状の転動面を備えているので、筒状の焼酎タンクの板厚（円周縁の幅）の大小や円周縁の形状に拘わらず滑車部材を上部の円周縁に乗せることができる。つまり、筒状の焼酎タンクを組み立てる経過で上部の円周縁がいかなる形状になっていても、滑車部材を上部の円周縁に乗せて梯子を設置することができる。
【００１５】
また、請求項２に係る本発明の焼酎タンク用の梯子は、請求項１に記載の焼酎タンク用の梯子において、前記筒状の焼酎タンクは帯状円環部材が積み上げられることで形成され、前記梯子本体は長手方向に分割された複数の分割本体部が互いに接続され、前記帯状円環部材の積み上げ高さに応じて分割本体部の数が設定されて互いに接続されることを特徴とする。
【００１６】
請求項２に係る本発明では、帯状円環部材の積み上げ高さに応じて分割本体部の数を設定して接続することで、組み立てる過程で途中の高さの時に必要な作業を実施することができる。
【００１７】
また、請求項３に係る本発明の焼酎タンク用の梯子は、請求項２に記載の焼酎タンク用の梯子において、前記支持部材には前記ローラに対応して移動用スプロケットが設けられ、前記移動用スプロケットには回転用の索体が巻回され、前記索体は前記梯子本体に沿って垂下して配され、前記移動用スプロケットの回転軸と前記ローラの回転軸の間に動力伝達機構を介在させたことを特徴とする。
【００１８】
請求項３に係る本発明では、梯子本体に沿って垂下して配された索体を踏み台部に乗った作業員が操作することで、移動用スプロケットを回転させて動力伝達機構を介してローラを回転させ、支持部材を移動させることができる。
【００１９】
また、請求項４に係る本発明の焼酎タンク用の梯子は、請求項３に記載の焼酎タンク用の梯子において、前記動力伝達機構は、前記移動用スプロケットの回転軸と前記ローラの回転軸にそれぞれ取り付けられるスプロケットと、前記スプロケットに掛け回されるチェーンとからなることを特徴とする。
【００２０】
請求項４に係る本発明では、動力伝達機構をスプロケット及びチェーンで構成したことにより、スプロケットの径の設定により動力の伝達比率を変更することができ、操作性を任意に設定することができる。
【００２１】
また、請求項５に係る本発明の焼酎タンク用の梯子は、請求項４に記載の焼酎タンク用の梯子において、前記ローラ及び前記移動用スプロケットが支持される支持枠が前記支持部材に備えられ、前記支持枠は、前記ローラ及び前記移動用スプロケットの回転中心軸に直交する軸周りで回動自在に前記支持部材に支持され、前記ローラに対応して湾曲凹状の転動面を有するガイドローラを有し、前記ガイドローラが支持されるガイド支持枠が前記支持部材に備えられ、前記ガイド支持枠は、前記ガイドローラの回転中心軸に直交する軸周りで回動自在に前記支持部材に支持され、前記支持枠及び前記ガイド支持枠を回動させることにより、前記ローラ及び前記ガイドローラの転動面を前記焼酎タンクの上部の円周縁の円弧に沿わせることを特徴とする。
【００２２】
請求項５に係る本発明では、支持枠の回動位置を調整すると共にガイド支持枠の回動位置を調整することで、ローラ及びガイドローラの転動面を焼酎タンクの上部の円周縁の円弧に沿わせることができ、焼酎タンクの径に拘わらず梯子を掛けることができる。
【発明の効果】
【００２３】
本発明の焼酎タンク用の梯子は、焼酎を貯蔵する焼酎貯蔵用の焼酎タンクに簡単に設置することが可能になる。
【図面の簡単な説明】
【００２４】
【図１】本発明の一実施例に係る梯子を用いて組み立てを実施する焼酎タンクの組み立て状況説明図である。
【図２】組み立てられた焼酎タンクの外観図である。
【図３】治具により上下の帯状鋼板同士を面一に保持した状態の図である。
【図４】梯子を掛けて溶接を実施する状況の説明図である。
【図５】梯子を掛けて溶接を実施する状況の説明図である。
【図６】梯子の正面図である。
【図７】梯子の側面図である。
【図８】梯子の外観図である。
【図９】梯子の要部外観図である。
【図１０】踏み台部の部分外観図である。
【図１１】支持部材の詳細図である。
【図１２】支持部材の詳細図である。
【図１３】支持部材の詳細図である。
【図１４】上縁に転動する状況の説明図である。
【図１５】上縁に転動する状況の説明図である。
【発明を実施するための形態】
【００２５】
本実施例は、焼酎を貯蔵する焼酎タンクの組み立てに使用される梯子を説明してある。本発明の焼酎タンク用の梯子は、組み立てに使用する以外に、既存の焼酎タンクに対する塗装や修復等のメンテナンス、断熱材や外装材の施工時に使用することができる。
【００２６】
本発明の焼酎タンク用の梯子を説明するに先立って、図１、図２に基づいて焼酎タンクの組み立て状況を説明する。図１には本発明の一実施例に係る梯子を用いて組み立てを実施する焼酎タンクの組み立て状況、図２には組み立てられた焼酎タンクの外観を示してある。
【００２７】
図１、図２に示すように、基礎１の上面には底板２が設けられ、底板２の周囲に湾曲した帯状鋼板３をつないで円環状の鋼板筒４としている。湾曲した帯状鋼板３をつなぎながら鋼板筒４を複数段積み上げて円筒体７が組み立てられ、円筒体７の最上部に天井筒５がつなぎ合わされて焼酎タンク６が組み立てられる。帯状鋼板３及び円環状の鋼板筒４同士の継ぎ目は、鋼板同士を面一に保持する治具を用いて筒の内側が仮溶接される。
【００２８】
図３に基づいて鋼板同士を面一に保持する治具を説明する。図３には治具により上下の帯状鋼板３同士を面一に保持した状態を示してあり、図３（ａ）は鋼板を仮想状態に表した外観、図３（ｂ）は断面状態である。
【００２９】
図に示すように、治具１１は帯状鋼板３の接合縁の間に挟持される本体板１２を有し、本体板１２には挿入孔１３が設けられている。また、本体板１２の挿入孔１３の一端部の板面の表裏それぞれには係止棒１４が垂直に設けられ、挿入孔１３が帯状鋼板３の接合縁同士に挟まれた際に係止棒１４がそれぞれの帯状鋼板３の面に当接する。帯状鋼板３の板面を挟んで係止棒１４の反対側の挿入孔１３には楔片１５が嵌入され、楔片１５が嵌入することで帯状鋼板３同士が面一に保持される。
【００３０】
治具１１により帯状鋼板３同士が面一に保持された状態で、内側から継ぎ目が仮溶接される。仮溶接された後は、楔片１５が挿入孔１３から抜かれて係止棒１４側に本体板１２が帯状鋼板３の接合縁同士の間から抜き外される。鋼板筒４が積み上げられて高所作業になる場合、円環状の鋼板筒４の内側に簡易足場が取り付けられる。
【００３１】
鋼板筒４が所定の段数積み上げられる過程での筒体、及び、組み立てられた円筒体７に対して本実施例の梯子２１（図４参照）が掛けられ、筒体の外周面、もしくは、円筒体７の外周面の帯状鋼板３同士の継ぎ目、及び、鋼板筒４同士の継ぎ目が溶接される。
【００３２】
図４、図５に基づいて焼酎タンク用の梯子を掛けて溶接を実施する状況を説明する。
【００３３】
図４には３段の鋼板筒４が積み上げられた状態、図５には円筒体７に焼酎タンク用の梯子２１を掛けた状態を示してある。
【００３４】
図４に示すように、梯子２１の上部には支持部材２２が備えられ、支持部材２２には最上段の鋼板筒４の上縁を転動するローラ２３が備えられている。支持部材２２には梯子本体部２４が設けられ、梯子本体部２４は積み上げられた鋼板筒４の外周面の下側に吊下して延びている。梯子本体部２４の３箇所には踏み台部２５が備えられ、各踏み台部２５には作業員が乗って溶接作業を行う。
【００３５】
踏み台部２５には梯子本体部２４の長手方向に交差する方向に突出する板台２６が備えられ、板台２６の外側には梯子本体部２４に沿って平行に延びる手すり部２７が備えらている。手すり部２７はリンク２８を介して梯子本体部２４に接続され、板台２６が反突出状態にされる際にリンク２８により手すり部２７が梯子本体部２４側に平行移動する。これにより、踏み台部２５が梯子本体部２４側に折りたたみ自在とされる。
【００３６】
３段の鋼板筒４が積み上げられた筒体に梯子２１の支持部材２２を掛け、各踏み台部２５に作業員が乗ってローラ２３を最上段の鋼板筒４の上縁に沿って転動させる。作業員が乗ったままの梯子２１を筒体の周囲に移動させ、筒体の外周面の帯状鋼板３同士の継ぎ目、及び、鋼板筒４同士の継ぎ目が溶接される。
【００３７】
既設の焼酎タンク６が備えられている箇所で梯子２１を移動させる場合、一旦、作業員が踏み台部２５から降り、板台２６を反突出状態にしてリンク２８により手すり部２７を梯子本体部２４側に平行移動させ、踏み台部２５を折りたたんだ状態にする。これにより、狭い場所に対して梯子２１を通過させることができる。
【００３８】
図５に示すように、円筒体７の状態で帯状鋼板３同士の継ぎ目、及び、鋼板筒４同士の継ぎ目を一斉に溶接する場合、梯子本体部２４（分割本体部）の下側に分割本体部３１を接続する。分割本体部３１には２箇所に踏み台部２５が備えられ、梯子本体部２４と分割本体部３１を互いに接続することで（分割本体部を互いに接続することで）、上下に５箇所の踏み台部２５を備えた梯子２１となる。
【００３９】
５箇所の踏み台部２５に作業員が乗り、ローラ２３を最上段の鋼板筒４の上縁に沿って転動させることで、円筒体７の帯状鋼板３同士の継ぎ目、及び、鋼板筒４同士の継ぎ目が一斉に溶接される。既設の焼酎タンク６が備えられている箇所で梯子２１を移動させる場合、全ての踏み台部２５を折りたたんだ状態にする。
【００４０】
図６から図１２に基づいて本発明の一実施例に係る焼酎タンク用の梯子２１を詳細に説明する。
【００４１】
図６には焼酎タンク６に本発明の一実施例に係る焼酎タンク用の梯子２１が設置された状態における梯子２１の正面状態、図７には梯子２１の側面状態、図８（ａ）には梯子２１の外観を表す正面状態、図８（ｂ）には梯子の外観を表す側面状態、図９（ａ）には梯子２１の要部外観状態、図９（ｂ）には踏み台部２５が折りたたまれた状態の梯子２１の要部外観状態、図１０（ａ）には踏み台部２５の部分の外観、図１０（ｂ）には折りたたまれた踏み台部２５の部分の外観を示してある。また、図１１、図１２、図１３には支持部材の詳細を示してあり、図１１（ａ）は正面視状態、図１１（ｂ）は側面視状態、図１１（ｃ）は平面視状態、図１２、図１３は斜視状態である。
【００４２】
図６〜図８に示すように、焼酎タンク６の最上部の端部縁には梯子２１の支持部材２２がローラ２３を介して取り付けられ、支持部材２２には梯子本体部２４（分割本体部３１）が焼酎タンク６の下側に垂下して配されている。梯子本体部２４（分割本体部３１）は一対のフレーム材で構成され、梯子本体部２４の長手方向の５箇所の外方（焼酎タンク６の筒面の反対側）には、踏み台部２５が設けられている。踏み台部２５は、梯子本体部２４（分割本体部３１）の一対のフレーム材の対向部（内側）に支持されている。
【００４３】
また、梯子本体部２４（分割本体部３１）の一対のフレーム材のそれぞれには、足掛け用の棒材６１が設けられ、棒材６１は、焼酎タンク６の筒面に直交するように縦方向に延びるフレーム同士に亘って互いに平行に多数設けられている。棒材６１は、例えば、３００ｍｍピッチで上下方向に多数設けられている。作業員は、足掛け用の棒材６１を使用して所定の踏み台部２５に対して昇降する。
【００４４】
踏み台部２５に作業員が乗り、支持部材２２のローラ２３を介して梯子２１を焼酎タンク６の最上部の端部縁に沿って移動させることにより、５人の作業員が焼酎タンク６の帯状鋼板３同士の継ぎ目、及び、鋼板筒４同士の継ぎ目を一斉に溶接することができる。
【００４５】
図９に示すように、踏み台部２５は、板台２６及び手すり部２７がリンク２８を介して平行移動自在に備えられ、折りたたみ自在となっている。図１０に基づいて踏み台部２５を詳細に説明する。
【００４６】
図１０に示すように、板台２６は矩形枠３３に取り付けられ、矩形枠３３の下側の縁辺は梯子本体部２４の（分割本体部３１）の一対のフレーム材の対向部（内側）に、幅方向に延びる中心軸周りに回動自在に支持されている。矩形枠３３は梯子本体部２４に対して垂直になる状態に回動位置が規制される。矩形枠３３の上側（外側）には手すり部２７の基端部（下側）が回動自在に支持され、手すり部２７の先端部（上側）はリンク２８の先端が回動自在に支持されている。更に、リンク２８の基端部が梯子本体部２４の一対のフレーム材の対向部（内側）に回動自在に支持されている。
【００４７】
これにより、図１０（ａ）に示すように、梯子本体部２４の長手方向に交差する方向に矩形枠３３（板台２６）が起立した状態で、手すり部２７が板台２６を囲むように踏み台部２５が設置される。また、図１０（ｂ）に示すように、リンク２８を介して手すり部２７と共に矩形枠３３を上側に回動させることにより、手すり部２７が平行移動して踏み台部２５が梯子本体部２４の一対のフレーム材の対向部の内側に折りたたまれた状態にされる。このため、踏み台部２５が梯子本体部２４（分割本体部３１）から突出しない状態で内側に納められ、梯子を狭い箇所で移動させる際に有利となる。
【００４８】
図１０に示すように、矩形枠３３の周囲には板台２６に対して直立する幅木３４が設けられ、幅木３４により板台２６の面部の周縁に矩形状の板材が配された状態になっている。また、手すり部２７の側部の途中部には第２リンク３５が設けられ、第２リンク３５に連続して中間バー３６が設けられている。第２リンク３５の基端部は、矩形枠３３及びリンク２８と同様に、梯子本体部２４の一対のフレーム材の対向部（内側）に回動自在に支持されている。
【００４９】
尚、図１０（ｂ）に示すように、踏み台部２５が梯子本体部２４側に折りたたまれる際に、幅木３４を外すことで折りたたみを容易に実施することができる。
【００５０】
踏み台部２５は、矩形枠３３の板台２６の上側の空間が手すり部２７で囲まれ、板台２６の面部の周縁に立板状の縁部が幅木３４で形成され、更に、第２リンク３５及び中間バー３６により手すり部２７の空間に支え用のバーが配された状態になっている。このため、作業員が踏み台部２５で高所作業を行う場合であっても、幅木３４により板台２６からの作業具の落下が防止され、また、手すり部２７や支え用の中間バー３６により作業員自体の落下が防止される。
【００５１】
尚、矩形枠３３に対して１枚の板台２６を設けた例を挙げて説明したが、板台を分割し、分割された板台をスライド自在に矩形枠３３に備えることも可能である。板台をスライド自在に備えることで、踏み台部２５を折りたたまない状態で手すり部２７の内側から作業員が上部の踏み台部２５に移動することができる。
【００５２】
図１１から図１３に基づいて支持部材２２を説明する。
【００５３】
支持部材２２は、焼酎タンク６（図６参照）の最上段の上縁に沿って移動する案内部位とされている。支持部材２２にはＬ字型の枠材４１が備えられ、枠材４１は焼酎タンク６（図６参照）の上縁に被さる状態に形成され、枠材４１に梯子本体部２４が接続されている。枠材４１の内側には焼酎タンク６（図６参照）の最上段の上縁を転動するローラ２３及びガイドローラ４３が備えられている。
【００５４】
ローラ２３及びガイドローラ４３は、焼酎タンク６（図６参照）の径に応じた円弧に沿うように、上下方向に延びる軸周り（回転中心軸に直交する軸周り）で独立して回動自在になっている（図１１（ｃ）参照）。このため、種々の径のタンクに対して適用することができる。
【００５５】
即ち、枠材４１の内側には支持枠４４及びガイド支持枠４５が上下方向に延びる軸周りで回動自在に支持されている。支持枠４４及びガイド支持枠４５の回動位置は任意に調整され、ロックナット４４ａ、４５ａにより回動位置が固定される。支持枠４４にはローラ２３が回転自在に支持され、ガイド支持枠４５にはガイドローラ４３が回転自在に支持されている。支持枠４４のローラ２３は、踏み台部２５に乗った作業員により回転操作され（詳細は後述する）、作業員が乗った状態で梯子２１を焼酎タンク６（図６参照）の筒面に沿って移動させることができる。
【００５６】
支持枠４４にはローラ２３に対応して移動用スプロケット４６が回転自在に支持され、移動用スプロケット４６には回転用の索体としての操作チェーン４７が巻回され、操作チェーン４７は梯子本体部２４に沿って垂下して配されている。移動用スプロケット４６とローラ２３の間には動力伝達機構が介在し、踏み台部２５に乗った作業員が操作チェーン４７を操作して移動用スプロケット４６を回動させることにより、ローラ２３が回動される。
【００５７】
動力伝達機構として、移動用スプロケット４６の回転軸にはスプロケット４６ａが設けられ、ローラ２３の回転軸にはスプロケット２３ａが設けられ、スプロケット４６ａ、２３ａには動力伝達チェーン（チェーン）４８が掛け回されている。つまり、移動用スプロケット４６が回動すると、スプロケット４６ａ、チェーン４８を介してスプロケット２３ａに回転動力が伝達され、ローラ２３が回転する。操作チェーン４７を操作してローラ２３を回転させることで、作業員が乗った状態で梯子２１が焼酎タンク６（図６参照）の筒面に沿って移動する。
【００５８】
動力伝達機構をスプロケット４６ａ、２３ａ及びチェーン４８で構成したことにより、スプロケット４６ａ、２３ａの径の設定により動力の伝達比率を変更することができ、操作チェーン４７の操作性を任意に設定することができる。
【００５９】
焼酎タンク６（図６参照）の最上段の上縁を転動するローラ２３は湾曲凹状の転動面５１を有し（滑車部材）、ガイドローラ４３はローラ２３に対応して湾曲凹状の転動面５２を有している（滑車部材）。ローラ２３及びガイドローラ４３は湾曲凹状の転動面５１、５２を有しているので、厚さ（幅）が異なる複数の上縁に対して、一つのローラ２３及びガイドローラ４３を適用することができる。
【００６０】
図１４、図１５に基づいて複数種類の上縁に転動する状況を説明する。図１４には焼酎タンク６の最上段の上縁（天井筒５）の概念状況、図１５には異なる上縁を転動している状態の概念を示してある。
【００６１】
焼酎タンク６の最上段の帯状鋼板３の上縁の外側には円環状のトップアングル５５が接合され、トップアングル５５に天井板５６の縁部が取り付けられている。トップアングル５５には円周方向に多数の支持棒５７が立設され、支持棒５７の上端にはレール環５８が取り付けられている。天井部の周囲にレール環５８が設けられることにより、天井部で作業する作業員の落下が防止される。
【００６２】
梯子２１の支持部材２２が掛けられる焼酎タンク６の最上段として、帯状鋼板３の上縁、トップアングル５５、レール環５８が適用される。
【００６３】
図１５（ａ）に示した状態は、トップアングル５５が接合される前の帯状鋼板３の上縁に梯子２１のローラ２３（ガイドローラ４３）が転動している状態である。ローラ２３（ガイドローラ４３）の転動面５１（５２）は、帯状鋼板３の厚さが数ｍｍ（例えば、３、４ｍｍ）の幅の部分（中心部）に接触している。
【００６４】
図１５（ｂ）に示した状態は、支持棒５７及びレール環５８が取り付けられる前のトップアングル５５の板部に梯子２１のローラ２３（ガイドローラ４３）が転動している状態である。ローラ２３（ガイドローラ４３）の転動面５１（５２）は、帯状鋼板３の厚さが数ｍｍの幅の部分とトップアングル５５の板部とを跨ぐ数十ｍｍ幅（例えば、８０ｍｍ程度の幅）の部分（外側部）に接触している。
【００６５】
図１５（ｃ）に示した状態は、レール環５８に梯子２１のローラ２３（ガイドローラ４３）が転動している状態である。ローラ２３（ガイドローラ４３）の転動面５１（５２）は、レール環５８の十数ｍｍの径の部分（中央部）に接触している。
【００６６】
湾曲凹状の転動面５１、５２を有するローラ２３及びガイドローラ４３を用いたので、幅の異なる複数の縁部に対してローラ２３及びガイドローラ４３を転動させることができる。このため、製造中の焼酎タンク６に対して多数の箇所で一つの梯子２１を適用することができる。
【００６７】
上述した梯子２１は、支持部材２２のローラ２３及びガイドローラ４３を帯状鋼板３の上縁やトップアングル５５、レール環５８で転動自在に支持し、焼酎タンク６の外側に踏み台部２５が位置するように梯子本体部２４を焼酎タンク６の外側に設置する。踏み台部２５に作業員が乗り、操作チェーン４７を操作することによりローラ２３及びガイドローラ４３を焼酎タンク６の上縁に沿って転動し、梯子２１が焼酎タンク６の筒面に沿って移動する。
【００６８】
これにより、踏み台部２５に乗った複数の作業員が複数個所で一斉に作業（溶接作業）をすることができる。ローラ２３、ガイドローラ４３は湾曲凹状の転動面５１、５２を有しているので、焼酎タンク６の板厚（円周縁の幅）の大小や円周縁の形状に拘わらずローラ２３及びガイドローラ４３を上部の円周縁に乗せることができ、焼酎タンク６を組み立てる経過で上部の円周縁がいかなる形状になっていても、ローラ２３及びガイドローラ４３を上部の円周縁に乗せて梯子２１を設置することができる。
【００６９】
また、踏み台部２５がリンク機構を介して平行移動することにより折りたたみ自在に梯子本体部２４に設けられているので、他の焼酎タンクが隣接する狭い箇所であっても、踏み台部２５を折りたたむことで梯子２１を通過させることができる。このため、隣接する焼酎タンクとの隙間が不十分な場所が存在する焼酎タンク６であっても簡単に梯子２１を設置することができる。
【００７０】
従って、限られた敷地内に多く設置される焼酎貯蔵用の焼酎タンクを組み立てる最に、固定の足場を構築することなく作業者の作業場所を梯子２１で簡単に確保することができ、足場を構築する労力と時間をなくすことが可能になる。また、狭い場所で適用できることに加え、焼酎タンク６の上部の円周縁にローラ２３及びガイドローラ４３を乗せることができるので、限られた敷地内に多く設置される既存の焼酎タンク６の塗装等のメンテナンスに対して簡単に適用することができる。
【産業上の利用可能性】
【００７１】
本発明は、焼酎を貯蔵する焼酎貯蔵用の焼酎タンクに設置される焼酎タンク用の梯子の産業分野で利用することができる。
【符号の説明】
【００７２】
１  基礎
２  底板
３  帯状鋼板
４  鋼板筒
５  天井筒
６  焼酎タンク
７  円筒体
１１  治具
１２  本体板
１３  挿入孔
１４  係止棒
１５  楔片
２１  梯子
２２  支持部材
２３  ローラ
２４  梯子本体部
２５  踏み台部
２６  板台
２７  手すり部
２８  リンク
３１  分割本体部
３３  矩形枠
３４  幅木
３５  第２リンク
４１  枠材
４３  ガイドローラ
４４  支持枠
４５  ガイド支持枠
４６  移動用スプロケット
４７  操作チェーン
４８  動力伝達チェーン
５１、５２  転動面
５５  トップアングル
５６  天井板
５７  支持棒
５８  レール環
６１  棒材